(57)【特許請求の範囲】
【請求項１】
基枠材と、第一枠材と、第二枠材と、第一押縁材と、第二押縁材とを備え、基枠材は、第一角度調整部と、第二角度調整部と、両角度調整部の間に仕切りとを備え、第一角度調整部は第一曲面を備え、第二角度調整部は第二曲面を備え、第一曲面と第二曲面とは仕切りを中心として同心円で凹曲しており、第一枠材は、第一角度調整部への第一摺接部と、仕切りの第一側面部に対して進退する第一ネジとを備え、第一摺接部は第一ネジの進退に応じて第一曲面に沿って移動するものであり、第二枠材は、第二角度調整部への第二摺接部と、仕切りの第二側面部に対して進退する第二ネジとを備え、第二摺接部は第二ネジの進退に応じて第二曲面に沿って移動するものであり、第一枠材は第一ネジにより所定角度に調整した状態で、基枠材に対して取付けてあり、第二枠材は第二ネジにより所定角度に調整した状態で、基枠材に対して取付けてあり、第一押縁材が第一枠材及び仕切りの室外面に対して、且つ第二押縁材が第二枠材及び仕切りの室外面に対して室外側から取付けてあり、第一押縁材と第二押縁材との間で且つ第一押縁材及び第二押縁材の仕切りに対する取付部の室外側にシール部を設けていることを特徴とするサッシ。
【請求項２】
第一枠材及び第二枠材の基枠材への取付部は、相互に噛合うように互い違いに形成してあり、仕切りに対して交互に取付けてあることを特徴とする請求項１記載のサッシ。
【請求項３】
第一押縁材の第一枠材への取付部、及び第二押縁材の第二枠材への取付部は、相互に噛合うように互い違いに形成してあることを特徴とする請求項２記載のサッシ。
【発明の詳細な説明】
【０００１】
【発明の属する技術分野】
本発明は、枠体を横方向、又は縦方向に任意角度で連続するサッシに関するものである。
【０００２】
【発明が解決しようとする課題】
枠体を横方向に任意角度で連続する手段として、例えば図５の如く基枠材５の外周側に第一弧状部Ｒ１と第二弧状部Ｒ２とを設け、第一弧状部Ｒ１に第一連結材Ｊ１を、第二弧状部Ｒ２に第二連結材Ｊ２を固定し、第一連結材Ｊ１に第一枠材１０を、第二連結材Ｊ２に第二枠材２０を、角度調整自在に固定しているが、第一連結材と第二連結材とは、予め第一枠材と第二枠材の取付角度に合わせて固定する必要があるため、高度の技術を要する問題点があるし、一度固定した第一連結材と第二連結材とは、後から調整できない問題点もあった。また第一枠材と第二枠材に対するパネルの取付けも困難である問題点があった。
そこでこの発明は、従来技術の備えるこのような問題点に鑑みてなされたものであり、その目的とするところは、枠材を任意角度に簡単に連続したサッシを提供することにある。
【０００３】
【課題を解決するための手段】
上記目的を達成するために、本発明のサッシは、請求項１として、基枠材と、第一枠材と、第二枠材と、第一押縁材と、第二押縁材とを備え、基枠材は、第一角度調整部と、第二角度調整部と、両角度調整部の間に仕切りとを備え、第一角度調整部は第一曲面を備え、第二角度調整部は第二曲面を備え、第一曲面と第二曲面とは仕切りを中心として同心円で凹曲しており、第一枠材は、第一角度調整部への第一摺接部と、仕切りの第一側面部に対して進退する第一ネジとを備え、第一摺接部は第一ネジの進退に応じて第一曲面に沿って移動するものであり、第二枠材は、第二角度調整部への第二摺接部と、仕切りの第二側面部に対して進退する第二ネジとを備え、第二摺接部は第二ネジの進退に応じて第二曲面に沿って移動するものであり、第一枠材は第一ネジにより所定角度に調整した状態で、基枠材に対して取付けてあり、第二枠材は第二ネジにより所定角度に調整した状態で、基枠材に対して取付けてあり、第一押縁材が第一枠材及び仕切りの室外面に対して、且つ第二押縁材が第二枠材及び仕切りの室外面に対して室外側から取付けてあり、第一押縁材と第二押縁材との間で且つ第一押縁材及び第二押縁材の仕切りに対する取付部の室外側にシール部を設けている。
【０００４】
ここで基枠材とは、躯体の室外側開口部に位置し、例えば第一枠体の第一縦枠材と第二枠体の第二縦枠材、又は第一枠体の第一横枠材と第二枠体の第二横枠材を取付けるものを言い、以下、第一縦枠材及び第一横枠材を第一枠材とし、第二縦枠材及び第二横枠材を第二枠材とする。
ここで仕切りとは、基枠材の幅方向の略中間部から室外向きに突出していて、第一角度調整部側に第一側面部を、第二角度調整部側に第二側面部を備えるものを言う。
ここで第一角度調整部とは、仕切りから第一枠材の取付側において、第一枠材の角度調整を可能にするものを言い、第二角度調整部とは、仕切りから第二枠材の取付側において、第二枠材の角度調整を可能にするものを言う。
第一角度調整部と第二角度調整部は、同じ範囲に設け、同角度の調整を可能にすることが望ましいが、異なる範囲に設け、異なる角度に調整することも可能である。
【０００５】
ここで第一枠材とは、横方向に連続する第一枠体の縦枠材、又は縦方向に連続する第一枠体の横枠材であり、予め仕切りの第一側面部に対して進退する第一ネジを備えておき、第一摺接部を基枠材の第一角度調整部に当接するものを言い、第一ネジを進退した時、第一ネジの進退に応じて、第一摺接部が第一角度調整部に沿って移動するものを言う。
例えば第一枠材を第一ネジで第一側面部から離した時、第一摺接部が第一角度調整部の第一側面部より離れた端部側に位置し、第一枠材の全体を室外側に向けて傾斜し、反対に第一枠材を第一ネジで第一側面部側へ接近した時、第一摺接部が第一角度調整部の第一側面部寄りに位置し、第一枠材の全体を室内側側に向けて傾斜する。
ここで第二枠材とは、横方向に連続する第二枠体の縦枠材、又は縦方向に連続する第二枠体の横枠材であり、予め仕切りの第二側面部に対して進退する第二ネジを備えておき、第二摺接部を基枠材の第二角度調整部に当接するものを言い、第二枠材と同様に、第二ネジを進退した時、第二ネジの進退に応じ、第二摺接部がて第二角度調整部に沿って移動するものを言う。
【０００６】
ここで第一押縁材とは、取付角度を調整した第一枠材に対して室外側から取付けるものを言い、第二押縁材とは、第一押縁材と同様に、取付角度を調整した第二枠材に対して室外側から取付けるもの言う。
ここで第一ネジ及び第二ネジとは、ボルトやビス等を含むもので、第一枠材及び第二枠材に螺合して進退するものと、第一枠材及び第二枠材に空転自在に保持され、第一側面部及び第二側面部に螺合するものを言い、且つ第一角度調整部に第一摺接部を当接している第一枠材を、仕切りの第一側面部に接近したり、第一側面部から遠ざけたりするもの、及び第二角度調整部に第二摺接部を当接している第二枠材を、仕切りの第二側面部に接近したり、第二側面部から遠ざけたりするものを言う。
ここでシール部とは、第一押縁材と第二押縁材との間で、且つ第一押縁材及び第二押縁材の取付部から室外側に設けるものを言い、室内側への雨水の浸入を防ぐものを言う。
【０００７】
請求項２として、第一枠材及び第二枠材の基枠材への取付部は、相互に噛合うように互い違いに形成してあり、仕切りに対して交互に取付けてある。
ここで基枠材への取付部とは、第一枠材に設ける基枠材への取付部（以下、第一枠材取付部とする）と、第二枠材に設ける基枠材への取付部（以下、第二枠材取付部とする）とを言う。
ここで取付部が相互に噛合うように互い違いに形成してあるとは、第一枠材取付部を、第二枠材取付部の形成範囲を避けて設け、第二枠材取付部を、第一枠材取付部の形成範囲を避けて設けることを言い、そのことにより、第一枠材取付部と第二枠材取付部とが、仕切りに対して重なり合うことなく交互に取付けられ、且つ、第一枠材及び第二枠材の取付角度を調整しても、重なり合うことがないことを言う。
【０００８】
請求項３として、第一押縁材の第一枠材への取付部、及び第二押縁材の第二枠材への取付部は、相互に噛合うように互い違いに形成してある。
ここで第一押縁材の取付部（以下、第一押縁材取付部とする）とは、第一枠材取付部への取付けが可能となるものを言い、第二押縁材の取付部（以下、第二押縁材取付部とする）とは、第二枠材取付部への取付けが可能となるものを言う。
ここで取付部が相互に噛合うように互い違いに形成してあるとは、第一押縁材取付部を第二押縁材取付部の形成範囲を避けて設けること、第二押縁材取付部を第一押縁材取付部の形成範囲を避けて設けることを言い、第一枠材取付部及び第二枠材取付部と同様に、第一押縁材取付部と第二押縁材取付部とが重なり合うことなく取付けることができ、且つ、第一枠材及び第二枠材の取付角度を調整しても、重なり合うことがないことを言う。
【０００９】
【発明の実施の形態】
本発明によるサッシを実施形態の図１〜３に基づき説明すれば、基枠材５と、第一枠材１０と、第二枠材２０と、第一押縁材３と、第二押縁材４とを備え、基枠材５は、第一角度調整部６と、第二角度調整部７と、両角度調整部６，７の間に仕切り８とを備え、第一枠材１０は、第一角度調整部６に摺接する第一摺接部１２と、仕切り８の第一側面部８ａに対して進退する第一ネジＮ１とを備え、第二枠材２０は、第二角度調整部７に摺接する第二摺接部２２と、仕切り８の第二側面部８ｂに対して進退する第二ネジＮ２とを備え、第一枠材１０は第一ネジＮ１により所定角度に調整した状態で、基枠材５に対して取付けてあり、第二枠材２０は第二ネジＮ２により所定角度に調整した状態で、基枠材５に対して取付けてあり、第一押縁材３が第一枠材１０に対して、第二押縁材４が第二枠材２０に対して室外側から夫々取付けてあり、第一押縁材３及び第二押縁材４の取付部３２，４２の室外側にシール部Ｓを設けている。
【００１０】
基枠材５は図２（イ）の如く、躯体の構造材Ａ等に取付ける固定部５ａと、固定部５ａの幅方向の略中間部から室外向きに突出する仕切り８と、仕切り８より第一枠材１０側に設けた第一角度調整部６と、仕切り８より第二枠材２０側に設けた第二角度調整部７とを備えている。
第一角度調整部６は仕切り８から第一枠材１０の取付側において、第一枠材１０の角度調整を可能にする第一曲面６ａを備え、第二角度調整部７は仕切り８から第二枠材２０の取付側において、第二枠材２０の角度調整を可能にする第二曲面７ａを備え、第一曲面６ａと第二曲面７ａとは、仕切り８を中心として同心円で凹曲し、且つ仕切り８より離れた端部側に、第一枠材１０の第一摺接部１２、及び第二枠材２０の第二摺接部２２に当接するタイト材Ｔを夫々備え、例えば横方向に連続する第一枠体１と第二枠体２を角度調整して取付ける。
基枠材５の取付手段として、固定部５ａを構造材Ａにボルトで固定し、或いは溶接により取付けることも可能であるが、固定部５ａの室内側に、室内向きに開口する袋溝５ｂを設け、図１の如く構造材Ａに溶接した取付部材Ｃ、又は構造材ＡにボルトＢで固定した取付部材Ｃに、袋溝５ｂに沿ってスライドするボルトＢを備え、構造材Ａの長手方向に調整して取付けることが望ましい。
【００１１】
第一枠材１０は図２（ロ）の如く、第一枠体１を構成する一部材であり、仕切り８の第一側面部８ａに対向する第一基部１１と、第一角度調整部６の第一曲面６ａに当接する第一摺接部１２とを備え、第一基部１１に、第一側面部８ａに対して進退する第一ネジＮ１を螺入している。
この第一枠材１０は、予め第一基部１１に第一ネジＮ１を仕切り８の第一側面部８ａに向けて螺入しておき、第一基部１１を第一側面部８ａに対向し、第一摺接部１２を第一曲面６ａに当接して、第一ネジＮ１を進退するもので、第一ネジＮ１の進退に応じて第一摺接部１２が第一曲面６ａに沿って移動する。
例えば図４（イ）の如く第一ネジＮ１を第一側面部８ａへ多く突出した時、第一摺接部１２が第一曲面６ａの第一側面部８ａより離れた端部側に位置し、第一枠材１０の全体が室外側に向けて傾斜し、反対に図４（ロ）の如く第一ネジＮ１の第一側面部８ａへの突出を少なくした時、第一摺接部１２が第一曲面６ａの第一側面部８ａ側に接近し、第一枠材１０の全体が室内側側に向けて傾斜する。
【００１２】
第二枠材２０は図２（ニ）の如く、第二枠体２を構成する一部材であり、仕切り８の第二側面部８ｂに対向する第二基部２１と、第二角度調整部７の第二曲面７ａに当接する第二摺接部２２とを備え、第二基部２１に、第二側面部８ｂに対して進退する第二ネジＮ２を螺入している。
この第二枠材２０は、第一枠材１０と同様に、予め第二基部１２に第二ネジＮ２を仕切り８の第二側面部８ｂに向けて螺入しておき、第二基部１２を第二側面部８ｂに対向し、第二摺接部２２を第二曲面７ａに当接して、第二ネジＮ２を進退するもので、第二ネジＮ２の進退に応じて第二摺接部２２が第二曲面７ａに沿って移動する。
【００１３】
第一押縁材３は図２（ハ）の如く、第一枠材１０の第一基部１１の室外側に嵌合する第一嵌合部３１を備え、第一枠材１０にパネルＰを嵌め込んだ後、室外側から取付け、第一枠材１０との間にパネル嵌挿部１４を形成するものである。
第二押縁材４は図２（ヘ）の如く、第二枠材２０の第二基部２１の室外側に嵌合する第二嵌合部４１を備え、第一押縁材３と同様に、第二枠材２０にパネルＰを嵌め込んだ後、室外側から取付け、第二枠材２０との間にパネル嵌挿部２４を形成するものである。
シール部Ｓは、第一枠材１０に取付けた第一押縁材３と、第二枠材２０に取付けた第二押縁材４との間で、しかも第一押縁材３と第二押縁材４の取付部３２，４２の室外側に設けるもので、例えばシール材、パテ、コーキング材等を設け、主に押縁材３，４間から室内側への雨水の浸入を防ぐものである。
【００１４】
請求項２として、第一枠材１０及び第二枠材２０の基枠材５への取付部１３，２３は、相互に噛合うように互い違いに形成してあり、仕切り８に対して交互に取付けてある。
第一枠材１０の取付部１３（以下、第一枠材取付部１３とする）は、第一基部１１に設けてあり、第二枠材２０の取付部２３（以下、第二枠材取付部２３とする）は、第二基部２１に設けてあり、且つ第一枠材取付部１３と第二枠材取付部２３とが、相互に噛合うように互い違いに形成してある。
例えば図３の如く第一枠材取付部１３を、第二枠材取付部２３の形成範囲を避けて設け、第二枠材取付部２３を、第一枠材取付部１３の形成範囲を避けて設けるもので、第一枠材取付部１３と第二枠材取付部２３とを基枠材５の仕切り８に取付けた時、交互に取付けられ、第一枠材１０と第二枠材２０の取付角度を調整しても、相互に重なり合うことがない。
【００１５】
請求項３として、第一押縁材３の第一枠材１０への取付部３２、及び第二押縁材４の第二枠材２０への取付部４２は、相互に噛合うように互い違いに形成してある。
第一押縁材３の取付部３２（以下、第一押縁材取付部３２とする）は、第一枠材取付部１３に対向して、第一枠材取付部１３の形成範囲内に設けるか、第二押縁材４の取付部４２（以下、第二押縁材取付部４２とする）の形成範囲を避けて設け、第一枠材取付部１３にネジＮで取付ける。
第二押縁材取付部４２は、第二枠材取付部２３に対向して、第二枠材取付部２３の形成範囲内に設けるか、第一押縁材取付部３２の形成範囲を避けて設け、第二枠材取付部２３にネジＮで取付ける。
即ち、第一押縁材取付部３２と第二押縁材取付部４２は図３の如く、相互に噛合うように互い違いに形成してあり、そのことにより、第一枠材取付部１３、及び第二枠材取付部２３と同様に、第一押縁材取付部３２と第二押縁材取付部４２とが重なり合うことなく取付けることができ、且つ、第一枠材１０及び第二枠材２０の取付角度を調整しても、重なり合うことがない。
【００１６】
本発明のサッシは上記の通りであるから、例えば図２（イ）の如く躯体の構造材Ａに基枠材５を取付け、基枠材５の第一角度調整部６に図２（ロ）の如く第一枠材１０を嵌合し、第一枠材取付部１３を仕切り８に、第一摺接部６を第一曲面６ａに当接し、第一枠材取付部１３を仕切り８にネジＮで取付けた後、第一ネジＮ１を進退すれば、第一摺接部６は第一曲面６ａに沿って仕切り８から遠ざかるように摺動し、或いは仕切り８側に接近するように摺動するので、第一枠材１０の連結角度を調整することができる。
次いで図２（ハ）の如く、第一押縁材３の第一嵌合部３１を第一枠材１０の第一基部１１に嵌合し、第一押縁材取付部３２を第一枠材取付部１３の室外側に当接し、第一押縁材取付部３２を第一枠材取付部１３にネジＮで取付ける。
第二枠材２０と第二押縁材４とは、図２（ホ）（ヘ）の如く、第一枠材１０及び第一押縁材３と同様の手段で取付ける。
尚、第二枠材２０と、第一押縁材３と、第二押縁材４との取付け工程は任意であり、例えば第一枠材１０に図２（ハ）の如く第一押縁材３を取付け、次に図２（ホ）の如く第二枠材２０を、図２（ヘ）の如く第二押縁材４を取付けることも可能であるし、図２（ニ）の如く第一枠材１０と第二枠材２０とを取付け、次に図２（ハ）の如く第一押縁材３を、図２（ヘ）の如く第二押縁材４とを取付けることも可能である。
【００１７】
【実施例】
本発明のサッシは、採光部を横方向、或いは周囲に連続する天窓、ショーウインドの壁等にも応用可能で、用途は限定されるものではない。
また、第一枠体１と第二枠体２とを左右に連続する場合、取付部材Ｃを構造材Ａに対して傾斜して取付け、取付部材Ｃに基枠材５を取付け、傾斜した基枠材５に対して直交するように連続することこも可能であるし、傾斜した基枠材５に左右されることなく、構造材Ａに平行して連続することも可能である。
パネル嵌挿部１４，２４の一方にパネルＰを嵌挿し、他方のパネル嵌挿部１４に外装材を取付け、或いはパネル嵌挿部１４を塞ぐカバーを取付け、パネル嵌挿部１４とパネルＰの隙間をシールし、パネル嵌挿部２４と外装材との隙間をコーキングし、カバーと躯体との間をコーキングすることこも可能である。
第一角度調整部６の第一曲面６ａと、第二角度調整部７の第二曲面７ａは、室内向きに凹曲するものに限定されるものではなく、室外向きに凸曲することも可能であるし、且つ曲面６ａ，７ａが基枠材５の幅方向に平行して凹凸するもの、基枠材５の幅方向に直交して凹凸するもの、曲面６ａ，７ａに平行して溝を備えるもの、曲面６ａ，７ａに直交して溝を備えるものであってもよい。
【００１８】
また、基枠材５の室外側に被取付部９を設け、被取付部９の室外面９ａを、例えば仕切り８の基部を中心とた凸面にすると、例え第一枠材１０、及び第二枠材２０を角度調整しても、第一枠材取付部１３、及び第二枠材取付部２３は、室外面９ａに常に互い違いに当接するので、ネジＮによる取付けが安定する。
第一押縁材３と第二押縁材４との取付手段は、実施形態に限定されるものではなく、例えば第一押縁材３を第一枠材１０の第一基部１１に、第二押縁材４を第二枠材２０の第二基部２１に取付けることも可能であるし、第一押縁材取付部３２を第一枠材取付部１３と共に被取付部９にネジＮで取付け、第二押縁材取付部４２を第二枠材取付部２３と共に被取付部９にネジＮで取付けることも可能である。
尚、基枠材５と、第一枠材１０と、第二枠材２０と、第一押縁材３と、第二押縁材４とは、軽金属材、特にアルミニウム合金にて押出し形成することが望ましく、且つ基枠材５の第一角度調整部６と第二角度調整部７とを対称に形成し、第一枠材１０と第二枠材２０とを対称に形成し、第一押縁材３と第二押縁材４とを対称に形成すれば、第一枠材１０と第二枠材２０、第一押縁材３と第二押縁材４とを夫々兼用し得るので、安価に提供し得るし、作業性も向上する。
【００１９】
【発明の効果】
本発明のサッシは上記の通りであるから、次に記載する効果を奏する。
請求項１に記載のサッシは、第一及び第二枠材に、基枠材の第一及び第二角度調整部の間に設けた仕切りに対して進退する第一及び第二ネジを備えるので、第一及び第二枠材は取付状態において、第一及び第二押縁材の取付け前に、取付角度を簡単に微調整できる。しかも第一及び第二押縁材は、第一、第二枠材に後から取付けるので、パネルの取付けが簡単容易であるし、第一及び第二押縁材の取付部の室外側にシール部を有するので、取付部の水密性も維持できる。
請求項２に記載のサッシは、第一枠材及び第二枠材の取付部が、相互に噛合うように互い違いに形成してあるので、角度調整に容易に対応でき、しかも仕切りに取付けてもかさばらない利点がある。
請求項３に記載のサッシは、第一押縁材及び第二押縁材の取付部も、相互に噛合うように互い違いに形成してあるので、角度調整に容易に対応でき、しかも取付部もかさばらない利点がある。
【図面の簡単な説明】
【図１】本発明によるサッシの連結例を示す要部横断面図である。
【図２】（イ）（ロ）（ハ）（ニ）（ホ）（ヘ）基枠材に対する第一枠体と第二枠体、及び第一押縁材と第二押縁材の取付工程例を示す一部切欠平面図である。
【図３】取付部の関係を示す要部斜視図である。
【図４】（イ）（ロ）角度調整時の横断面図である。
【図５】従来サッシの施工例を示す一部切欠側面図である。
【符号の説明】
１  第一枠体、２  第二枠体
３  第一押縁材、４  第二押縁材
５  基枠材
６  第一角度調整部、７  第二角度調整部
８  仕切り、８ａ  第一側面部、８ｂ  第二側面部
９  被取付部
１０  第一枠材、２０  第二枠材
１２  第一摺接部、２２  第二摺接部
１３，２３  取付部（１３  第一枠材取付部、２３  第二枠材取付部）
３２，４２  取付部（３２  第一押縁材取付部、４２  第二押縁材取付部）
Ｎ  ネジ、Ｎ１  第一ネジ、Ｎ２  第二ネジ
Ｓ  シール部
Ａ  躯体の構造材、Ｂ  ボルト、Ｃ  取付部材
Ｐ  パネル
【図１】
0003596588.tif 000002
【図２】
0003596588.tif 000003
【図３】
0003596588.tif 000004
【図４】
0003596588.tif 000005
【図５】
0003596588.tif 000006